(57)【特許請求の範囲】
【請求項１】
双方向増幅器における上り伝送路（１）に、通過帯域を変更可能な可変フィルタ（２）を設け、この可変フィルタ（２）は上り信号中の流合雑音が多くなると当該流号雑音の多い周波数帯域はカットされ、他の帯域は通過可能になるように通過帯域が可変可能であり、可変フィルタ（２）の通過帯域は、上り信号中の流合雑音を周波数帯域別にモニタしたセンターからの出力信号に基づいて、上り信号中の流合雑音の多寡に応じて可変制御部（３）により可変されることを特徴とするＣＡＴＶ用双方向増幅器。
【請求項２】
請求項１記載のＣＡＴＶ用双方向増幅器において、可変フィルタ（２）の通過帯域は、センターにおいてモニタされたいずれかの周波数帯域の流合雑音レベルが所定値以上のときにセンターから出力される信号に基づいて、モニタされた流合雑音の多寡に応じて可変制御部（３）により可変されることを特徴とするＣＡＴＶ用双方向増幅器。
【請求項３】
双方向増幅器における上り伝送路（１）に通過帯域を変更可能な可変フィルタ（２）と減衰器（４）を設け、可変フィルタ（２）はセンターでモニタされたいずれかの周波数帯域の流合雑音が多くなると当該流号雑音の多い周波数帯域はカットされ、他の帯域は通過可能になるように通過帯域が可変可能であり、その通過帯域は、上り信号中の流合雑音を周波数帯域別にモニタしたセンターからの出力信号に基づいて、上り信号中の流合雑音の多寡に応じて可変制御部（３）により可変され、上り伝送路（１）は前記可変フィルタ（２）と減衰器（４）に切替え可能であり、この切替えは、前記センターからの出力信号に基づいて切替制御部５により行われることを特徴とするＣＡＴＶ用双方向増幅器。
【請求項４】
請求項３記載のＣＡＴＶ用双方向増幅器において、前記可変フィルタ（２）と減衰器（４）への上り伝送路（１）の接続切替えは、センターにおいてモニタされたいずれかの周波数帯域の流合雑音レベルが所定値以上のときは可変フィルタ（２）に接続され、流合雑音の多い周波数帯の上り信号はカットされて他の周波数帯域の上り信号がセンターに伝送され、前記モニタされたいずれの周波数帯域の流合雑音レベルも所定値以下のときは減衰器（４）に接続されて、全ての上り信号が減衰器（４）を通過してセンターに伝送されることを特徴とするＣＡＴＶ用双方向増幅器。
【請求項５】
請求項３又は請求項４記載のＣＡＴＶ用双方向増幅器において、減衰器（４）の減衰レベルが可変フィルタ（２）の挿入損失と同程度であることを特徴とするＣＡＴＶ用双方向増幅器。
【発明の詳細な説明】
【０００１】
【発明の属する技術分野】
本発明はセンターへの流合雑音の流入を防止可能なＣＡＴＶ用双方向増幅器に関するものである。
【０００２】
【従来の技術】
従来、ＣＡＴＶシステムにおいてセンターへの流合雑音の流入を防止するためには、図２に示すようにＣＡＴＶ用双方向増幅器における上り伝送路ＡにゲートスイッチＢとステータスモニタＣを設け、上り信号の流合雑音が多くなるとセンターから前記ステータスモニタＣへポーリング信号が出力され、これを受けたステータスモニタＣがゲートスイッチＢをＯＦＦにして上り信号を遮断していた。
【０００３】
【発明が解決しようとする課題】
前記のようにして流合雑音の流入を防止することには次のような課題があった。
通常、上り信号には１０ＭＨｚ〜５５ＭＨｚ帯域が使用されており、流合雑音はこのうち１０ＭＨｚ〜２５ＭＨｚ帯域に多いことが知られている。しかし、従来方法では上り信号を一括して遮断してしまうため、ゲートスイッチＢがＯＦＦとなると双方向通信が不可能となる。
【０００４】
【課題を解決するための手段】
本発明の目的は上り信号のうち流合雑音の多い帯域のみをカットし、その他の帯域は通過させることによって、その通過帯域で上り信号を送り出し、流合雑音を低減しつつ双方向通信を可能としたＣＡＴＶ用双方向増幅器を提供することにある。
【０００５】
本件出願の第１のＣＡＴＶ用双方向増幅器は、双方向増幅器における上り伝送路に、通過帯域を変更可能な可変フィルタを設け、この可変フィルタは上り信号中の流合雑音が多くなると当該流号雑音の多い周波数帯域はカットされ、他の帯域は通過可能になるように通過帯域が可変可能であり、可変フィルタの通過帯域は、上り信号中の流合雑音を周波数帯域別にモニタしたセンターからの出力信号に基づいて、上り信号中の流合雑音の多寡に応じて可変制御部により可変されるものである。
【０００６】
本件出願の第２のＣＡＴＶ用双方向増幅器は、前記第１のＣＡＴＶ用双方向増幅器において、可変フィルタの通過帯域は、センターにおいてモニタされたいずれかの周波数帯域の流合雑音レベルが所定値以上のときにセンターから出力される信号に基づいて、モニタされた流合雑音の多寡に応じて可変制御部により可変されるものである。
【０００７】
本件出願の第３のＣＡＴＶ用双方向増幅器は、双方向増幅器における上り伝送路に通過帯域を変更可能な可変フィルタと減衰器を設け、可変フィルタはセンターでモニタされたいずれかの周波数帯域の流合雑音が多くなると当該流号雑音の多い周波数帯域はカットされ、他の帯域は通過可能になるように通過帯域が可変可能であり、その通過帯域は、上り信号中の流合雑音を周波数帯域別にモニタしたセンターからの出力信号に基づいて、上り信号中の流合雑音の多寡に応じて可変制御部により可変され、上り伝送路は前記可変フィルタと減衰器に切替え可能であり、この切替えは、前記センターからの出力信号に基づいて切替制御部により行われるものである。
【０００８】
本件出願の第４のＣＡＴＶ用双方向増幅器は、前記第３のＣＡＴＶ用双方向増幅器において、前記可変フィルタと減衰器への上り伝送路の接続切替えは、センターにおいてモニタされたいずれかの周波数帯域の流合雑音レベルが所定値以上のときは可変フィルタに接続され、流合雑音の多い周波数帯の上り信号はカットされて他の周波数帯域の上り信号がセンターに伝送され、前記モニタされたいずれの周波数帯域の流合雑音レベルも所定値以下のときは減衰器に接続されて、全ての上り信号が減衰器を通過してセンターに伝送されるものである。本件出願の第５のＣＡＴＶ用双方向増幅器は、前記第３又第４のＣＡＴＶ用双方向増幅器において、減衰器の減衰レベルが可変フィルタの挿入損失と同程度である。
【０００９】
【発明の実施の形態】
（実施の形態１）
本発明のＣＡＴＶ用双方向増幅器の第１の実施形態を説明する。このＣＡＴＶ用双方向増幅器は図１に示すように当該増幅器における上り伝送路１上に、通過帯域を変更可能とした可変フィルタ２と、前記可変フィルタ２の挿入損失と同程度の減衰レベルの減衰器４とを設けると共に、可変フィルタ２の通過帯域を変更させる可変制御部３と、上り信号中のある帯域の流合雑音の多寡に応じて上り信号の通路を可変フィルタ２と減衰器４とに切替える切替制御部５とを備えてなる。
【００１０】
前記切替制御部５は図１に示すように当該増幅器に内蔵されたステータスモニタユニット１０とＣＴＲＬ１とから構成されており、センターからの信号に基づいて上り信号の通路を前記可変フィルタ２と減衰器４とに切替えるようにしてある。具体的にはセンターにおいて上り信号に使用される１０ＭＨｚ〜５５ＭＨｚの帯域を例えば１０〜１９ＭＨｚ（Ａ帯域）、２０ＭＨｚ〜２８ＭＨｚ（Ｂ帯域）、２１ＭＨｚ〜３７ＭＨｚ（Ｃ帯域）、３７ＭＨｚ〜４６ＭＨｚ（Ｄ帯域）、４６ＭＨｚ〜５５ＭＨｚ（Ｅ帯域）の５つの帯域に分け、夫々の帯域ごとに流合雑音のレベルをモニタし、何れかの帯域の流合雑音が所定値以上（例えば３０〜５０ｄＢｍ）となると、センターはステータスモニタユニット１０に信号を出力する。この信号を受信したステータスモニタユニット１０はＣＴＲＬ１に所定電圧を印加する。ＣＴＲＬ１に所定電圧が印加されるとトランジスタＴｒ１及びトランジスタＴｒ２にベース電圧が印加されるため、同トランジスタＴｒ１及びＴｒ２が動作し、ダイオードＤ１及びＤ２にはＶＣＣからの電流が流れるがダイオードＤ３及びＤ４には電流が流れない。従って、全帯域の上り信号が可変フィルタ２に入力される。
【００１１】
一方、帯域Ａ〜帯域Ｅの何れの帯域の流合雑音も所定値以下である場合にはセンターからステータスモニタユニット１０に信号が出力されないため、ＣＴＲＬ１に電圧が印加されない。この結果、トランジスタＴｒ３にＶＣＣにはベース電圧が印加されるが、トランジスタＴｒ１及びトランジスタＴｒ２にはベース電圧が印加されない。従って、同トランジスタＴｒ３のみ作動し、ダイオードＤ３、Ｄ４にＶＣＣからの電流が流れ、減衰器３に全帯域の上り信号が入力される。以上によって上り信号の通路を可変フィルタ２と減衰器４とに切替える。この減衰器４の減衰レベルは可変フィルタ２の挿入損失と同一程度としてあるので、センターに入力される上り信号のレベルは、前記可変フィルタ２を通過した場合と同一となる。
【００１２】
前記可変フィルタ２は印加電圧によって容量が変化するバリキャップダイオードを用いることによって通過帯域を変更可能としたものであり、センターからの信号を受けた可変制御部３によって通過帯域が変更されるようにしてある。具体的には可変制御部３は図１に示すようにステータスモニタユニット１０とＣＴＲＬ２とから構成されており、上り信号中のある帯域の流合雑音が所定値以上になるとセンターからステータスモニタユニット１０に信号を出力する。この信号を受信したステータスモニタユニット１０はＣＴＲＬ２に所定電圧を印加して、前記切替制御部３によって上り信号が入力されている当該可変フィルタ２の通過帯域を当該流合雑音が多い帯域はカットされ、他の帯域は通過可能なるように変更する。
【００１３】
（他の実施形態）
前記実施形態１では可変フィルタ２と減衰器４の双方を設け、上り信号に流合雑音が所定値以上の帯域が存在するか否かによって、上り信号を可変フィルタ２又は減衰器４に選択的に入力する構成としたが、前記減衰器４を設けることなく、常に上り信号を可変フィルタ２に入力し、上り信号の何れの帯域の流合雑音も所定値以下の場合には可変フィルタ２の通過帯域を全帯域が通過可能に設定し、何れかの帯域の流合雑音が所定値以上になった場合には当該帯域はカットされ、他の帯域は通過可能に設定する構成とすることもできる。
【００１４】
（発明の効果）
本発明は、双方向増幅器における上り伝送路に通過帯域を変更可能な可変フィルタを設け、この可変フィルタは上り信号中の流合雑音が多くなると当該流号雑音の周波数帯域はカットされ、他の帯域は通過可能なるように通過帯域が変化するので、流合雑音の流入を防止しつつ、流合雑音の少ない帯域を使用して双方向通信を行うことができる。
【図面の簡単な説明】
【図１】  本発明の実施形態の一例を示す回路図。
【図２】  従来のＣＡＴＶ用双方向増幅器を示す説明図。
【符号の説明】
１  上り伝送路
２  可変フィルタ
３  可変制御部
４  減衰器
５  切替制御部
【図１】
0004441021.tif 000002
【図２】
0004441021.tif 000003